(57)【要約】  【課題】  回転体を共用して複数の機能を備えることが可能な携帯端末を提供する。  【解決手段】  回転体４と、回転体の回転角速度を検出するためのロータリエンコーダ１１と、光源１２と、画像を取込むための光学センサ１５と、各種動作状態を表示する表示手段を備え、回転体４を回転させたときには、表示手段に表示のカーソルまたは表示文字を上下方向に移動させるスクロール機能として動作し、指紋検出モードを選択した後に回転体４を回転させたときには、光源１２及び光学センサ１５を起動して回転体４が接触している指紋の画像を取込むための指紋検出機能として動作することを特徴とする。【選択図】  図２
2005192033.tif 000002
【特許請求の範囲】
【請求項１】
回転体と、該回転体の回転体４の回転方向及び回転角速度を検出するためのロータリエンコーダと、光源と、画像を取込むための光学センサと、各種動作状態を表示する表示手段を備えた携帯端末であって、前記回転体を回転させたときには、前記表示手段に表示のカーソルまたは表示文字を上下方向に移動させるスクロール機能として動作し、指紋検出モードを選択した後に前記回転体を回転させたときには、前記光源及び前記光学センサを起動して前記回転体が接触している指紋の画像を取込むための指紋検出機能として動作することを特徴とする携帯端末。
【請求項２】
請求項１記載の携帯端末において、画像取込みモードを選択したときには、前記光源及び前記光学センサを起動して前記回転体が接触している画像取込み対象の画像を取込むための画像取込み機能として動作することを特徴とする携帯端末。
【請求項３】
請求項１または２記載の携帯端末において、前記回転体と前記ロータリエンコーダと前記光源及び前記光学センサを回転可能な回転筐体に配置したことを特徴とする携帯端末。
【請求項４】
請求項１乃至３のうちいずれかに記載の携帯端末において、前記回転体が押圧したことを検出するスイッチと、前記回転筐体の回転位置を検出する検出手段を備え、該検出手段から検出された回転位置により、前記スイッチの検出を有効または無効に切り替えることを特徴とする携帯端末。
【請求項５】
請求項１乃至４のうちいずれかに記載の携帯端末において、前記光源として多色の発光体を用い、前記各機能により照明色を切り替えることを特徴とする携帯端末。
【請求項６】
請求項１乃至５のうちいずれかに記載の携帯端末において、前記回転体を光透過率の高い材質で構成し、前記回転体を透過した前記光源からの光が前記回転体に接触している指紋の画像または前記画像取込み対象の画像から反射して前記光学センサにて取込まれることにより画像を取込むことを特徴とする携帯端末。
【発明の詳細な説明】
【技術分野】
【０００１】
本発明は携帯端末、特にスクロール機能と指紋検出機能を少なくとも備えた携帯端末に関するものである。
【背景技術】
【０００２】
携帯電話等の携帯端末では、操作可能な機能をメニュー表示し、メニューから希望の機能を選択することが行なわれている。選択の仕方は、メニューキーボタンを選択し、表示させている各種機能を上方向キーボタンまたは下方向キーボタンを押すことで各種機能表示を上下方向にスライドさせ、希望の機能を選択して決定キーボタンを押すやりかたである。
【０００３】
このよう機能選択をより操作しやすくするためには、各種機能を表示する画面をスクロールするスクロール機能を用いると便利である。
【０００４】
スクロール機能としては、回転軸を中心にして回転される回転体と、該回転体を回転軸で回転可能に支持する回転支持部材と、該回転支持部材に配設され回転体の回転を検出するロータリスイッチと、回転体が支持された回転支持部材が回転体の軸線方向に垂直移動可能に配設される移動ガイド部材と、該移動ガイド部材の直線移動方向の両側に配設され、回転体が支持された回転支持部材が直線移動されることにより回転支持部材の押圧され、回転体の直線運動を検出する一対のタクトスイッチとを備えている。
【０００５】
そしてこのスクロール機能を操作部に用いる電子機器として、記録再生装置（光磁気ディスクカートリッジの記録再生部、光ディスクの再生部、テープカセットの記録再生部を有する）が提案されている（例えば、特許文献１参照）。
【０００６】
また近い将来、携帯端末からカードなどの決済をする際に、端末自体で該端末を使用している人が該端末の所有者本人であるかどうかの個人認証をすることが必要になることが充分予想される。個人認証のための指紋検出機能が必要である。
【０００７】
指紋検出機能としては、回転可能な回転体を被検体の指との接触媒体を用いて、被検体の指の接する部分を移動可能にし、撮像装置を通じて回転走査により指紋全体を入力する指紋入力装置が提案させている（例えば、特許文献２参照）。
【０００８】
また近い将来、携帯端末自体で画像を取込み後で外部に送ることができればなお便利である。
【０００９】
画像取込み機能としては、筐体を把持しながらローラ（回転体）を原稿の画面上を走行させて原稿の画像を光学的に読取る画像読取り装置が提案させている（例えば、特許文献３参照）。
【００１０】
【特許文献１】特開２００２−６３８３４号公報
【００１１】
【特許文献２】特開平８−２６３６３１号公報
【特許文献３】特開２０００−２２９０２号公報
【発明の開示】
【発明が解決しようとする課題】
【００１２】
スクロール機能自体は上記特許文献１で、指紋検出機能自体は上記特許文献２で、画像取込み機能自体は上記特許文献３でそれぞれ公知であるが、それぞれ単独の使用形態しか記載されていない。
【００１３】
本発明の対象とする携帯端末は小型化が必要で外形の大きさがほぼ決められているため、上記各機能をそれぞれの機能毎に別々に実装することは困難である。
【００１４】
本発明の目的は、回転体を共用して複数の機能を備えることが可能な携帯端末を提供することにある。
【課題を解決するための手段】
【００１５】
本発明による請求項１記載の携帯端末は、回転体と、該回転体の回転方向及び回転角速度を検出するためのロータリエンコーダと、光源と、画像を取込むための光学センサと、各種動作状態を表示する表示手段を備えた携帯端末であって、前記回転体を回転させたときには、前記表示手段に表示のカーソルまたは表示文字を上下方向に移動させるスクロール機能として動作し、指紋検出モードを選択した後に前記回転体を回転させたときには、前記光源及び前記光学センサを起動して前記回転体が接触している指紋の画像を取込むための指紋検出機能として動作することを特徴とする。これにより、回転体をスクロールスイッチ機能と指紋検出機能で共用化することができ、携帯端末の小型化、低価格化を図ることができる。
【００１６】
また、本発明による請求項２記載の携帯端末は、請求項１記載の携帯端末において、画像取込みモードを選択したときには、前記光源及び前記光学センサを起動して前記回転体が接触している画像取込み対象の画像を取込むための画像取込み機能として動作することを特徴とする。これにより、回転体を画像取込み機能としても使用できる。
【００１７】
本発明による請求項３記載の携帯端末は、請求項１または２記載の携帯端末において、前記回転体と前記ロータリエンコーダと前記光源及び前記光学センサを回転可能な回転筐体に配置したことを特徴とする。これにより、操作性が向上する。
【００１８】
本発明による請求項４記載の携帯端末は、請求項１乃至３のうちいずれかに記載の携帯端末において、前記回転体が押圧したことを検出するスイッチと、前記第１の回転筐体の回転位置を検出する検出手段を備え、該検出手段から検出された回転位置により、前記スイッチの検出を有効または無効に切り替えることを特徴とする。これにより、スクロールスイッチ機能では決定キーボタンとして働かせ、それ以外の機能時には無効とすることができる。
【００１９】
本発明による請求項５記載の携帯端末は、請求項１乃至４のうちいずれかに記載の携帯端末において、前記光源として多色の発光体を用い、前記各機能により照明色を切り替えることを特徴とする。これにより、画像取込み機能時は自然光に近い白色を、指紋検出機能時は、指内部での光の透過・散乱を考慮し、指紋認識率の向上が期待できる青色系にする等の、対象物により発光色を切り替えることが可能となる。
【００２０】
本発明による請求項６記載の携帯端末は、請求項１乃至５のうちいずれかに記載の携帯端末において、前記回転体を光透過率の高い材質で構成し、前記回転体を透過した前記光源からの光が前記回転体に接触している指紋の画像または前記画像取込み対象の画像から反射して前記光学センサにて取込まれることにより画像を取込むことを特徴とする。これにより、スリットの削除によるさらなる省スペース小型化が可能となる。
【発明の効果】
【００２１】
本発明によれば、回転体を共用して複数の機能を備えることが可能な携帯端末を得ることができる。
【発明を実施するための最良の形態】
【００２２】
以下、添付図面に従って本発明による携帯端末の実施の形態について詳細に説明する。
【００２３】
図１は、本発明による携帯端末の実施の形態として、折り畳み式携帯電話機（以下、電話機という）１の、（ａ）ケース開状態、（ｂ）はケース閉状態、（ｃ）はケース閉状態のうち画像取込み機能が可能な状態の外観を示したものである。以下この図１を用いて、各機能を説明する。
【００２４】
本体ケース２の内側面には、図１（ａ）に示す、オフフックキー、オンフックキー、テンキー等の複数のキーボタン６ａが配置されると共に、下端部には送話用のマイクロホン８が内蔵されている。また、蓋体ケース３の内側面には、主表示部５ａ及び受話用レシーバ７が配置されている。そして本体ケース２の上端部と蓋体ケース３の下端部とは、ヒンジ部９を介して互いに連結された構成となっている。さらに本発明の実施の形態で共用化する回転体４は、ヒンジ部９と同軸上に位置する第１の回転筐体であるヒンジ回転部１３内において、回転体４の一部がヒンジ回転部１３から露出した状態で実装されている。
【００２５】
次に図１（ｂ）（ｃ）のケース閉状態場合においては、ヒンジ回転部１３内における回転体４及び、副表示部５ｂ、背面ボタン６ｂ、発着信用イルミネーション２２、スピーカ１０等が配置されている。
【００２６】
ここで、ヒンジ回転部１３の回転により、回転体４の露出部の位置が可変するが、ケース開状態では、回転体４が本体ケース２の内側面方向に露出した状態で固定された図１（ａ）状態と、ケース閉状態では、図１（ａ）の回転体４の位置のままの図１（ｂ）状態及び、回転体４が電話機上端Ａ方向に露出した図１（ｃ）状態の３種類の状態が存在する。そしてそれらの状態によって、実現できる機能が設定されており、図１（ａ）ではスクロール機能および指紋検出機能、図１（ｂ）では各機能停止となり回転体４の誤動作防止状態、図１（ｃ）では画像取込み機能が有効となる。
【００２７】
次に、図２の、回転筐体であるヒンジ回転部１３の構成の実施例を拡大して内部部品を示す斜視図により、回転体及び周辺の部品配置及び動作の詳細を、説明する。
【００２８】
まず、部品配置を説明する。ヒンジ軸２５を中心に回転可能なヒンジ回転部１３の内部に、回転体４と、回転体４の回転軸２１を支持するための軸支持部１６ａ，１６ｂと、回転体４の回転方向及び回転角速度を検出するためのロータリエンコーダ１１と、対象物２３または指２４に対して照明を照射するための光源１２と、照射光及び反射光の通り口であるスリット１８と、反射光を集光するためのレンズ１４と、画像を取込むための光学センサ１５と、回転体４がＣ方向に押されたことを検出するためのタクトスイッチ１７とが配置され、これらはヒンジ回転部１３の回転によって、それぞれの位置関係が維持のまま、一緒に回転する。さらに、ヒンジ軸２５を介してヒンジ回転部１３の回転位置を検出するための回転位置検出部３１が配置されている。尚ここで、光源１２、光学センサ１５、タクトスイッチ１７はヒンジ内基板２６上に固定されている。
【００２９】
次に、回転体４を、電話機１の機能選択におけるスクロール機能として使用する場合について説明する。本発明の実施の形態では、図３のように、蓋体ケース３の開状態において、回転体４を操作者が上下に回転させ、その回転体４の回転方向及び回転角速度をロータリエンコーダ１１（図２）で検出することでスクロール機能とし、回転体４の押圧操作をタクトスイッチ１７（図２）で検出して、決定スイッチとして使用する。具体的な説明を以下図１（ａ）のケース開状態において説明する。
【００３０】
例えば、メニュー画面に移行し、メニューを選択する場合は、回転体４を本体ケース２の背面方向に押し込む事でメニュー画面への移行を行い、さらに主表示部５ａに表示されるメニューに対しては、回転体４を上方向Ａまたは下方向Ｂに回転させる事で、カーソル、または表示されているメニュー自体を回転体４の回転方向に合わせてスクロールする事が可能である。操作者は希望のメニュー、またはメニュー位置にカーソルが移動できた状態で、回転体４を押圧する事で、希望のメニューを選択することが可能である。また、回転体４がヒンジ部９の間のヒンジ回転部１３に内側面方向を向くように実装される事により、操作者は操作に必要なキーボタン６ａ及び回転体４を、手の握りを変える事無く、押圧動作及びスクロール操作を行う事が可能である。
【００３１】
次に、本発明の回転体４を、指紋検出機能として使用する場合の実施例を説明する。指紋検出機能として使用する場合は、光源１２と光学センサ１５を起動し、対象物である指に対して照明を照射し、その反射光を光学センサ１５で読み込む事で実現する。その場合に回転体４が走行ローラとして機能し、安定した画像の取込みに貢献する。
【００３２】
具体的な説明を図１（ａ）のケース開状態及び図３において説明する。指紋検出時はケース開状態として、図１（ａ）で説明した状態である。
【００３３】
指紋検出への移行は、図３の電話機１のケース開状態において、回転体４のスクロール機能により、指紋検出を選択及び設定する方法と、実行中のアプリケーションからの要求により、強制的に指紋検出に移行する方法があるが、指紋の検出動作としてはどちらの方法からの移行でも同様である。
【００３４】
指紋の検出動作としては、前記の指紋検出に移行後に、図３の電話機１のケース開状態において、指紋を検出したい指２４の先端を回転体４にのせ、接触させた状態のまま回転体４を転がすように、指２４をＡ方向に動かすと、回転体４の回転方向及び回転角速度をロータリエンコーダ１１（図２）で検出することで回転体４の回転開始を検出し指紋の検出が開始される。指紋の検出終了は、回転体４の回転終了または、予め設定した検出動作時間の超過を検出して判断する。
【００３５】
次に、本発明の回転体４を、画像取込み機能として使用する場合の実施例を説明する。画像の取込み機能として使用する場合は、図４の電話機１のケース閉状態において、例えば背面ボタン６ｂのうちの画像取込みボタンを押圧することで、光源１２と光学センサ１５を起動し、光源１２より対象物に対して照明を照射し、対象物からの反射光を光学センサ１５で読み込む事で実現する。その場合に回転体４が走行ローラとして機能し、安定した画像の取込みに貢献する。
【００３６】
具体的な説明を図１（ｃ）のケース閉状態及び図５において説明する。画像取込み機能としての使用状態を図５に示す。この状態はケース閉状態で、回転体４が下部を向く形で、図１（ｃ）で説明した状態である。画像を取込む対象物２３に対して、電話機１が垂直に位置する状態とする。
【００３７】
この状態において、回転体４を対象物２３に接触させ、取込みたい画像上を回転体４でなぞるように電話機１をＤ方向に移動する事で、回転体４が画像取込みの回転ローラの役割を果たし、画像を取込むことが可能である。このとき、回転体４の回転方向及び回転角速度をロータリエンコーダ１１（図２）で検出することで回転体４の回転開始を検出する事により画像取込みが開始され、画像取込み検出終了は、回転体４の回転終了または、予め設定した検出動作時間の超過を検出して判断する。
【００３８】
また、この時、副表示部５ｂに、取込んだ画像状態をリアルタイムで表示させ、取込んでいる画像を確認しながらの画像の取込み操作を行う事も可能である。
【００３９】
また、この画像取込みへの移行方法としては、画像取込み機能への移行を割当てた背面ボタン６ｂを押印して移行する方法の他に、ヒンジ回転部１３の回転位置を検出するための後述する回転位置検出部をヒンジ部９に具備することにより、ヒンジ回転部１３の回転位置で自動的に画像取込みモードへの移行、終了を判定することも可能となっている。
【００４０】
次に、ケースの開閉状態とヒンジ回転部１３の位置関係を図５，図６及び図７を用いて説明する。
【００４１】
図５は、回転体４が蓋体ケース３より引っ込んだ構造で、回転体４に不用意に触れる誤動作が発生することを防止している状態を示す。
【００４２】
図５（ａ１）は、図１（ｂ）の斜め方向からの図を示しており、また、図５（ａ２）は蓋体ケース３とヒンジ部９とヒンジ回転部１３の位置関係を透視した状態を示し、同じく図５（ｂ１）（ａｂ）でその内部の詳細を示す。本状態を図５（ｂ１）において説明すると、ヒンジ部９内には、蓋体ケース３の開閉によって回転する大歯車２７と、大歯車２７と接触して回転する小歯車２８と、小歯車２８の回転により上下に運動するストッパー２９が具備されている。また、ヒンジ回転部１３においては、回転体４が一部露出する形で固定されており、ヒンジ回転部１３はヒンジと同じ軸線上に位置するヒンジ軸２５によりヒンジ９に接続され、ヒンジ回転部１３はヒンジ軸２５を中心にして回転する。また、ヒンジ回転部１３の外側には回転体突起３０が配置されている。
【００４３】
図６は、スクロール機能または指紋検出機能の状態を示す。図６（ａ１）は、図１（ｂ）の斜め方向からの図を示しており、図５（ａ１）からスクロール機能または指紋検出機能である図６（ａ１）への状態移行は、蓋体ケース３の閉→開で発生する。図６（ａ２）は蓋体ケース３とヒンジ部９とヒンジ回転部１３の位置関係を透視した状態を示し、同じく図６（ｂ１）（ｂ２）でその内部の詳細を示す。
【００４４】
図５（ｂ１）（ｂ２）から蓋体ケース３を開いて図６（ｂ１）（ｂ２）に移行した場合、状態が変化するのは歯車の回転によって、上昇運動するストッパー２９の位置であり、蓋体ケース３の開状態におけるストッパー２９の位置が回転体突起３０に接触する構造とする事により、蓋体ケース３の開状態ではヒンジ回転部１３はこの位置に固定された状態となる。この状態は、スクロール機能および指紋検出機能が有効な状態である。このように回転突起３０がストッパー２９に当てて停止する構成にすることで、ヒンジ回転部１３の回転を制限し回転体４を安定に保持できるようにすることができる。
【００４５】
図７は、画像読込み機能の状態を示す。図７（ａ１）は、図５（ａ１）と同様、図１（ｂ）の斜め方向からの図を示しており、図５（ａ１）から画像読込み機能時である図７（ａ１）への状態移行は、ヒンジ回転部１３を操作者が指で回転させる事で発生する。図７（ａ２）は蓋体ケース３とヒンジ部９とヒンジ回転部１３の位置関係を透視した状態を示し、同じく図７（ｂ１）（ｂ２）でその内部の詳細を示す。
【００４６】
図４（ａ１）（ａ２）のヒンジ回転部１３を図４（ｂ２）のＡ方向に回転させると、回転体突起３０がヒンジ回転部１３と一緒に回転してストッパー２９の位置で回転が防止されて停止し、図７（ａ１）（ａ２）の状態となる。この状態は、画像取込み機能が有効な状態である。このように回転突起３０がストッパー２９に当てて停止する構成にすることで、ヒンジ回転部１３の回転を制限し回転体４を安定に保持できるようにすることができる。また、この状態から元の図５（ａ１）（ａ２）もしくは図５（ｂ１）（ｂ２）に戻すのは操作者が指でヒンジ回転部１３をＢ方向に回転させる事で可能となる。
【００４７】
図７（ａ１）から図６（ａ１）への状態移行は、同じく蓋体ケース３の閉→開で発生する。図７（ｂ１）（ｂ２）から蓋体ケース３を開いて図６（ｂ１）（ｂ２）に移行する場合、歯車の回転によってストッパー２９が上昇運動するが、図７（ａ１）（ａ２）ではストッパー２９と回転体突起３０が接触した状態であり、ストッパー２９が上昇運動に伴い、回転体突起３０の上昇運動が発生し、結果的にヒンジ回転部１３を回転させて図６（ａ１）状態へ移行する。これにより、画像取込み機能状態で回転体４が電話機上端Ａ方向に露出した状態からでも、蓋体ケース３を開ける操作のみで、蓋体ケース３の開状態では常に回転体４が本体ケース２の内側面方向に露出した状態で、スクロール機能または指紋検出機能が有効な状態となる。
【００４８】
図８は、本発明による携帯端末の実施の形態における、スクロール機能、指紋検出機能および画像取込み機能を備えた回路ブロック図である。図８において、図１および図２と同じ部品に同一符号を付けた。
【００４９】
スクロール機能としての動作時は、回転体４の回転方向及び回転各速度をロータリエンコーダ１１で検出し、その検出情報を制御部７１に通知し、表示部５である主表示部５ａに表示されるメニューをスクロール操作することができる。さらに、回転体４の押圧操作をタクトスイッチ１７により検出し決定スイッチとして動作する。
【００５０】
また、指紋検出機能および画像取込み機能としての動作時は、キーボタン６ａや背面ボタン６ｂ、スクロールスイッチ機能としての回転体４等の操作により、制御部７１は、携帯端末１を指紋検出または画像取込みに設定し、指紋または画像の取込み開始待ち状態に移行する。その状態で回転体４の回転が発生すると、制御部７１ではロータリエンコーダ１１からの回転方向及び回転角速度情報を受け取り、その値が設定値を越えた事を検出すると、制御部７１による光源１２の発光、光学センサ１５による画像の取込みの制御が開始され、指紋または画像の取込み動作が開始される。そして、回転体４の回転動作終了または、取込み動作の時間の規定値超過が制御部７１で判断される事により、画像取込み動作は終了する。
【００５１】
その後制御部７１では、動作時間と回転体４の回転角速度から、画像取込みの対象物２３または指２４の移動距離を判断し、取込んだ画像の補正処理を行い、指紋認証処理または表示部５への表示、画像の保存等を行う。
【００５２】
ここで、回転体４、ロータリエンコーダ１１、光源１２、光学センサ１５、タクトスイッチ１７は第１の回転筐体であるヒンジ回転部１３内に配置されており、お互いの位置関係を保ったまま、画像の読取り方向を変えることが可能となっている。さらにヒンジ回転部１３の回転位置を検出するための回転位置検出部３１を設けることにより、図４に示すような画像読込み機能時の使用状態にはタクトスイッチ１７の動作を無効とするようにしている。
【００５３】
図９は、図８の本発明による携帯端末の実施の形態における回路ブロックの動作フローの例を示す図である。
【００５４】
ステップ９０１では例えば図１（ｂ）の背面ボタン６ｂのうちの電源ボタンを押圧することで、電話機１は起動状態（待受け状態）となる。ステップ９０２では蓋体ケース３が開状態のケース開状態であるかを、制御部７１が例えば図示していない蓋体開閉検出スイッチの状態をみて判断する。ケース開状態である場合は、ステップ９０３で指紋検出が選択されているかを制御部７１が判断する。指紋検出が選択させていない場合は、ステップ９０４でスクロール機能が動作する。ステップ９０３で指紋検出が選択されている場合は、ステップ９０５で指紋検出機能が動作する。
【００５５】
ステップ９０２で蓋体ケース３が開状態のケース開状態でない場合は、ステップ９０６で画像取込みが選択されているかを制御部７１が判断する。画像取込みが選択されていない場合は、ステップ９０６の判断を繰り返し、画像取込みが選択されている場合は、ステップ９０７で画像取込み機能が動作する。
【００５６】
図１０は、図９におけるステップ９０４でのスクロール機能の詳細な動作フローの例を示す図である。
【００５７】
ステップ１００１ではスクロール機能が開始する。ステップ１００２では蓋体ケース３が開状態のケース開状態であるかを、制御部７１が例えば図示していない蓋体開閉検出スイッチの状態をみて判断する。ケース開状態でない場合は図９のステップ９０１に戻り、ケース開状態である場合は、ステップ１００３で回転体４の回転の有無を制御部７１がロータリエンコーダ１１の状態をみて判断する。回転体４の回転が無しの場合は、ステップ１００４で回転体４の押し込みの有無を制御部７１がタクトスイッチ１７の押されている状態をみて判断する。回転体４の押し込みの有りの場合は、ステップ１００５で表示項目の選択をする。次にステップ１００６で指紋検出が選択されているかを制御部７１が判断する。指紋検出が選択させていない場合はステップ１００２に戻り、指紋検出が選択されている場合は図９のステップ９０５に移行する。
【００５８】
ステップ１００３で回転体４の回転が有りの場合は、ステップ１００７で回転体４の回転方向及び回転角速度をロータリエンコーダ１１で検出し、ステップ１００８で制御部７１は主表示部５ａに表示のスクロール方向とスクロール送度を、回転体４の回転速度に応じた速さで可変する。そしてステップ１００２に戻る。
【００５９】
ステップ１１０８で主表示部５ａに表示のスクロール方向とスクロール送度を、回転体４の回転速度に応じた速さで可変するので、操作者は選択の種類や状況に応じて操作速度を可変することで、より感覚的ですばやい操作が可能となる。
【００６０】
図１１は、図９におけるステップ９０５での指紋検出機能の詳細な動作フローの例を示す図である。
【００６１】
ステップ１１０１では指紋検出機能が開始する。ステップ１１０２では回転体４の回転の有無を制御部７１がロータリエンコーダ１１の状態をみて判断する。回転体４の回転が有りの場合は、ステップ１１０３で指紋検出を開始する。すなわち光源１２と光学センサ１５を起動し、指２４へ光源１２を照射し、反射光を光学センサ１５で検出し、光学センサ１５で検出した指紋画像とロータリエンコーダ１１で検出した回転体４の回転角速度情報を制御部７１に取込む。
【００６２】
ステップ１１０４では回転体４の回転の有無を制御部７１がロータリエンコーダ１１の状態をみて判断する。回転体４の回転が有りの場合はステップ１１０６に進み、回転体４の回転が無しの場合は、ステップ１１０５で検出規定時間の超過の有無を制御部７１が判断する。検出規定時間の超過が無しの場合はステップ１１０４に戻り、検出規定時間の超過が有りの場合は、ステップ１１０６に進む。
【００６３】
ステップ１１０６では、指紋検出の停止を制御部７１が行い、次にステップ１１０７で指紋画像と回転体４の回転角速度情報を制御部７１で保存する。次にステップ１１０８で指紋検出を続行するかを制御部７１が判断する。指紋検出を続行する場合はステップ１１０２に戻り、指紋検出を続行しない場合はステップ１１０９で指紋検出機能を制御部７１が終了させ、図９のステップ９０１に戻る。
【００６４】
ステップ１１０２で回転体４の回転が無しの場合は、ステップ１１１０で検出規定時間の超過の有無を制御部７１が判断する。検出規定時間の超過が無しの場合はステップ１１０２に戻り、検出規定時間の超過が有りの場合はステップ１１１１で表示等のエラー処理をし、ステップ１１０９で指紋検出機能を制御部７１が終了させ、図９のステップ９０１に戻る。
【００６５】
ステップ１１０７で指紋画像と回転体４の回転角速度情報を制御部７１で保存するので、回転体４の回転角速度情報を使用して、指紋検出時の移動速度のばらつきによる指紋画像のひずみ等を補正する処理が可能となり、正確な指紋画像の保存が可能であり、しいては後段での正確な指紋認証処理が可能となる。
【００６６】
図１２は、図９におけるステップ９０７での画像取込み機能の詳細な動作フローの例を示す図である。
【００６７】
ステップ１２０１では画像取込み機能が開始する。ステップ１２０２では回転体４の回転の有無を制御部７１がロータリエンコーダ１１の状態をみて判断する。回転体４の回転が有りの場合は、ステップ１１０３で画像取込みを開始する。すなわち光源１２と光学センサ１５を起動し、対象物２３へ光源１２を照射し、反射光を光学センサ１５で検出し、光学センサ１５で検出した画像とロータリエンコーダ１１で検出した回転体４の回転角速度情報を制御部７１に取込む。
【００６８】
ステップ１２０４では回転体４の回転の有無を制御部７１がロータリエンコーダ１１の状態をみて判断する。回転体４の回転が有りの場合はステップ１２０６に進み、回転体４の回転が無しの場合はステップ１２０５で検出規定時間の超過の有無を制御部７１が判断する。検出規定時間の超過が無しの場合はステップ１２０４に戻り、検出規定時間の超過が有りの場合は、ステップ１２０６に進む。
【００６９】
ステップ１２０６では画像取込みの停止を制御部７１が行い、次にステップ１２０７で取込み画像と回転体４の回転角速度情報を制御部７１で保存する。次にステップ１２０８で画像取込みを続行するかを制御部７１が判断する。画像取込みを続行する場合はステップ１２０２に戻り、画像取込みを続行しない場合はステップ１２０９で画像取込み機能を制御部７１が終了させ、図９のステップ９０１に戻る。
【００７０】
ステップ１２０２で回転体４の回転が無しの場合は、ステップ１２１０で検出規定時間の超過の有無を制御部７１が判断する。検出規定時間の超過が無しの場合はステップ１２０２に戻り、検出規定時間の超過が有りの場合はステップ１２１１で表示等のエラー処理をし、ステップ１２０９で指紋検出機能を制御部７１が終了させ、図９のステップ９０１に戻る。
【００７１】
ステップ１２０７で取込み画像と回転体４の回転角速度情報を制御部７１で保存するので、回転体４の回転角速度情報を使用して、画像取込み時の移動速度のばらつきによる画像のひずみ等を補正する処理が可能となり、正確な画像の保存が可能である。
【００７２】
次に、本発明による携帯端末の実施の形態における回転筐体であるヒンジ回転部１３の他の構成例を示す図により、回転体及び周辺の部品配置及び動作の詳細を、図１３を用いて説明する。図１３においては、回転体４として材質や形状において、光透過率の高い材質や中空の形状を選択して光の透過を高める事で、前記図２のスリット１３を通さず、直接回転体４を通した画像を取込む例である。
【００７３】
この構成によりスリット１３の削除による省スペースを図ることができる。さらに指紋検出機能においては、回転体４に密着した状態の指紋画像を取込む事で、より詳細な指紋画像の検出が可能である。図１３の場合、光源１２からの光Ｇは回転体４を素通りして対象物である指２４に照射され、また指２４からの反射光Ｈも回転体４を通してレンズ１４及び光学センサ１５で受光可能である。さらに、光源１２，光学センサ１５，レンズ１４等の小型品を選択し、中空の回転体４内に配置することを可能とすれば、更なる省スペース化を図る事が可能となる。
【００７４】
また、光源１２においてＬＥＤ等の多色発光体を使用することにより、画像取込み対象によって発光色を可変することにより、より精度の高い画像取込みまたは指紋検出が可能となる。例えば画像取込み機能時は自然光に近い白色を、指紋検出機能時は、指内部での光の透過・散乱を考慮し、指紋認識率の向上が期待できる青色系にする等の、対象物により発光色を切り替え、画像取込みの精度を向上することが可能となる。
【００７５】
また、光源１２を多色発光体化することにより、回転体４及びまたはヒンジ回転部１３に照射する照明色を可変する事で、現状イルミネーションとして使用している、図１（ｂ）の発着信用イルミネーション２２の置き換えも可能であり、より省スペース，低価格化が可能である。
【図面の簡単な説明】
【００７６】
【図１】本発明による携帯端末の実施の形態として、折り畳み式携帯電話機の、（ａ）ケース開状態、（ｂ）はケース閉状態、（ｃ）はケース閉状態のうち画像取込み機能が可能な状態の外観を示したものである。
【図２】図１の回転筐体であるヒンジ回転部の構成の実施例を拡大して内部部品を示す斜視図である。
【図３】スクロール機能または指紋検出機能として使用する場合を説明する図である。
【図４】画像取込み機能時として使用する場合を説明する図である。
【図５】回転体が蓋体ケースより引っ込んだ構造で、回転体に不用意に触れる誤動作が発生することを防止している状態を示す図である。
【図６】スクロール機能または指紋検出機能の状態を示す図である。
【図７】画像読込み機能の状態を示す図である。
【図８】本発明による携帯端末の実施の形態における、スクロール機能、指紋検出機能および画像取込み機能を備えた回路ブロック図である。
【図９】図８の本発明による携帯端末の実施の形態における回路ブロックの動作フローの例を示す図である。
【図１０】図９におけるステップ９０４でのスクロール機能の詳細な動作フローの例を示す図である。
【図１１】図９におけるステップ９０５での指紋検出機能の詳細な動作フローの例を示す図である。
【図１２】図９におけるステップ９０７での画像取込み機能の詳細な動作フローの例を示す図である。
【図１３】本発明による携帯端末の実施の形態における回転筐体であるヒンジ回転部の他の構成例を示す図である。
【符号の説明】
【００７７】
１…電話機、２…本体ケース、３…蓋体ケース、４…回転体、５…表示部、５ａ…主表示部、５ｂ…副表示部、６ａ…キーボタン、６ｂ…背面ボタン、７…レシーバ、８…マイクロホン、９…ヒンジ部、１０…スピーカ、１１…ロータリエンコーダ、１２…光源、１３…ヒンジ回転部、１４…レンズ、１５…光学センサ、１６ａ，１６ｂ…軸支持部、１７…タクトスイッチ、１８…スリット、２１…回転軸、２２…発着信用イルミネーション、２３…対象物、２４…指、２５…ヒンジ軸、２６…ヒンジ内基板、２７…大歯車、２８…小歯車、２９…ストッパー、３０…回転体突起、３１…回転位置検出部、７１…制御部。
【図１】
2005192033.tif 000003
【図２】
2005192033.tif 000004
【図３】
2005192033.tif 000005
【図４】
2005192033.tif 000006
【図５】
2005192033.tif 000007
【図６】
2005192033.tif 000008
【図７】
2005192033.tif 000009
【図８】
2005192033.tif 000010
【図９】
2005192033.tif 000011
【図１０】
2005192033.tif 000012
【図１１】
2005192033.tif 000013
【図１２】
2005192033.tif 000014
【図１３】
2005192033.tif 000015